(57)【要約】【課題】遊技球排出口で遊技球同士のバランスが取れて遊技球が遊技球排出口から排出されない不具合の発生を防止可能な弾球遊技機の提供を目的とする。【解決手段】入賞口への入球により払い出される遊技球を貯留する貯留皿３８０の底部３８１に遊技球排出口３８２を設け、遊技排出口３８２の下側には可動蓋部材３９５を設けて可動蓋部材３９５のスライドにより遊技球排出口３８２の開閉を可能として遊技球排出口３８２の閉鎖によって遊技球を可動蓋部材３９５で受け止めるようにし、遊技球排出口３８２の閉鎖状態から開放状態へ可動蓋部材３９５がスライドする際に可動蓋部材上３９５に位置する少なくとも１つの遊技球と接触して遊技球を可動蓋部材３９５のスライド方向へ動かす凹部３９７を可動蓋部材３９５の上面に形成した。【選択図】図１４
2010179190.tif 000002
【特許請求の範囲】
【請求項１】
遊技盤に設けられた入賞口に遊技球が入球することに基づいて払い出される遊技球を受けて貯留可能な貯留皿と、
前記貯留皿内の遊技球を排出するために前記貯留皿に形成された遊技球排出口と、
前記遊技球排出口を開閉可能な可動蓋部材と、
を備えた弾球遊技機において、
前記遊技球排出口は少なくとも遊技球２球分以上の大きさで形成され、
前記可動蓋部材は、前記遊技排出口の下側に設けられてスライドにより前記遊技球排出口の開閉が可能とされると共に、前記遊技球排出口閉鎖によって前記遊技球を受け止めるようにされ、前記遊技球排出口の閉鎖状態から開放状態へスライドする際に前記可動蓋部材上に位置する少なくとも１つの遊技球と接触して遊技球を前記可動蓋部材のスライド方向へ動かす凹部または突部が前記可動蓋部材の上面に形成されていることを特徴とする弾球遊技機。
【請求項２】
前記凹部は、遊技球の一部が嵌入可能な大きさからなることを特徴とする請求項１に記載の弾球遊技機。
【請求項３】
前記遊技盤を保持する前面枠体を備えると共に前記前面枠体の前面側に前記貯留皿が設けられ、
前記可動蓋部材は、前記遊技球排出口の閉鎖状態時に前記遊技球排出孔内で中央となる位置よりも、前記可動蓋部材が前記遊技球排出口の閉鎖状態から開放状態へスライドする際のスライド後方寄りとなる位置に、前記凹部または突部が形成されていることを特徴とする請求項１または２に記載の弾球遊技機。
【請求項４】
前記遊技球排出口は、円形の一部が外方へ膨らんで細くなった孔形状で前記貯留皿の底部に形成されると共に、前記外方へ膨らんだ部分が、前記可動蓋部材のスライド方向とは異なる方向に位置することを特徴とする請求項１から３の何れか一項に記載の弾球遊技機。
【請求項５】
前記遊技球排出口は、遊技球の購入に使用可能な硬貨よりも大きく形成されていることを特徴とする請求項１から４の何れか一項に記載の弾球遊技機。
【請求項６】
前記貯留皿の側部および底部の外側が装飾部材で覆われ、
前記貯留皿の底部と前記装飾部材間に前記可動蓋部材が配置され、
前記貯留皿の底部には前記遊技球排出口が形成され、
前記装飾部材には、前記可動蓋部材による前記遊技球排出口の開放時に前記遊技球排出口から落下する遊技球を弾球遊技機外へ排出するための機外排出口が、前記遊技球排出口の直下方向に設けられ、
前記機外排出口の内周壁には前記機外排出口を流下する遊技球を弾球遊技機の前方側へ誘導するための誘導壁部が弾球遊技機の前方へ向けて形成されていることを特徴とする請求項１から５の何れか一項に記載の弾球遊技機。
【発明の詳細な説明】
【技術分野】
【０００１】
本発明は、貯留皿の遊技球排出口を開閉する可動蓋部材を有する弾球遊技機に関する。
【背景技術】
【０００２】
従来、パチンコ遊技機等の弾球遊技機にあっては、遊技盤に設けられた入賞口に遊技球が入球することに基づいて払い出される遊技球を貯留皿で受け止めて貯留するようにされている。貯留皿の遊技球排出口は可動蓋部材によって開閉可能に構成され、遊技者の操作により遊技球排出口を開放して貯留皿内の遊技球を弾球遊技機外へ排出することができるように構成されている。
【先行技術文献】
【特許文献】
【０００３】
【特許文献１】特開平２−１５４７７６号公報
【発明の概要】
【発明が解決しようとする課題】
【０００４】
しかしながら、遊技球排出口を開放しても、遊技球排出口で遊技球同士のバランスが取れて遊技球が遊技球排出口から排出されない不具合を生じるおそれがある。
【０００５】
本発明は、前記の点に鑑みなされたものであって、遊技球排出口で遊技球同士のバランスが取れて遊技球が遊技球排出口から排出されない不具合の発生を防止可能な弾球遊技機の提供を目的とする。
【課題を解決するための手段】
【０００６】
請求項１の発明は、遊技盤に設けられた入賞口に遊技球が入球することに基づいて払い出される遊技球を受けて貯留可能な貯留皿と、前記貯留皿内の遊技球を排出するために前記貯留皿に形成された遊技球排出口と、前記遊技球排出口を開閉可能な可動蓋部材と、を備えた弾球遊技機において、前記遊技球排出口は少なくとも遊技球２球分以上の大きさで形成され、前記可動蓋部材は、前記遊技排出口の下側に設けられてスライドにより前記遊技球排出口の開閉が可能とされると共に、前記遊技球排出口閉鎖によって前記遊技球を受け止めるようにされ、前記遊技球排出口の閉鎖状態から開放状態へスライドする際に前記可動蓋部材上に位置する少なくとも１つの遊技球と接触して遊技球を前記可動蓋部材のスライド方向へ動かす凹部または突部が前記可動蓋部材の上面に形成されていることを特徴とする。
【０００７】
請求項２の発明は、請求項１において、前記凹部は、遊技球の一部が嵌入可能な大きさからなることを特徴とする。
【０００８】
請求項３の発明は、請求項１または２において、前記遊技盤を保持する前面枠体を備えると共に前記前面枠体の前面側に前記貯留皿が設けられ、前記可動蓋部材は、前記遊技球排出口の閉鎖状態時に前記遊技球排出孔内で中央となる位置よりも、前記可動蓋部材が前記遊技球排出口の閉鎖状態から開放状態へスライドする際のスライド後方寄りとなる位置に、前記凹部または突部が形成されていることを特徴とする。
【０００９】
請求項４の発明は、請求項１から３の何れか一項において、前記遊技球排出口は、円形の一部が外方へ膨らんで細くなった孔形状で前記貯留皿の底部に形成されると共に、前記外方へ膨らんだ部分が、前記可動蓋部材のスライド方向とは異なる方向に位置することを特徴とする。
【００１０】
請求項５の発明は、請求項１から４の何れか一項において、前記遊技球排出口は、遊技球の購入に使用可能な硬貨よりも大きく形成されていることを特徴とする。
【００１１】
請求項６の発明は、請求項１から５の何れか一項において、前記貯留皿の側部および底部の外側が装飾部材で覆われ、前記貯留皿の底部と前記装飾部材間に前記可動蓋部材が配置され、前記貯留皿の底部には前記遊技球排出口が形成され、前記装飾部材には、前記可動蓋部材による前記遊技球排出口の開放時に前記遊技球排出口から落下する遊技球を弾球遊技機外へ排出するための機外排出口が、前記遊技球排出口の直下方向に設けられ、前記機外排出口の内周壁には前記機外排出口を流下する遊技球を弾球遊技機の前方側へ誘導するための誘導壁部が弾球遊技機の前方へ向けて形成されていることを特徴とする。
【発明の効果】
【００１２】
請求項１の発明によれば、可動蓋部材をスライドさせるまで遊技球排出口の部分で遊技球同士のバランスが取れていても、可動蓋部材をスライドさせた際に、可動蓋部材上に位置する遊技球が可動蓋部材上面の凹部または突部によって可動蓋部材のスライド方向へ動くため、あるいは遊技球が可動蓋部材のスライド方向へ動かない場合であっても遊技球排出口に存在する複数の遊技球の下部と順に接触しながら可動蓋部材上面の凹部または突部が移動し、それによって複数の遊技球が上下に動くため、遊技球同士のバランスが崩れて遊技球が遊技球排出口から排出可能となり、遊技球排出口から遊技球が排出されない不具合の発生を防止することが可能となる。
【００１３】
請求項２の発明によれば、可動蓋部材上面の凹部に遊技球の一部分が嵌り、残りの部分が凹部から突出することにより、可動蓋部材をスライドさせた際には、凹部から突出している遊技球の部分が他の遊技球と干渉して他の遊技球も一緒に動かすことになるため、遊技球同士のバランスを効果的に崩すことができ、遊技球排出口から遊技球が排出されない不具合の発生を防止することが可能となる。
【００１４】
請求項３の発明によれば、可動蓋部材上面の凹部または突部は、遊技球排出口の閉鎖状態から開放状態へ可動蓋部材がスライドする際のスライド後方寄りの位置に形成されているため、遊技球排出口の閉鎖状態から開放状態へ可動蓋部材がスライドする際に、凹部または突部と接触して動かされる遊技球の移動量および遊技球の個数が大になり、遊技球排出口における遊技球のバランスを効果的に崩すことができ、遊技球排出口から遊技球が排出されない不具合の発生を一層確実に防止することが可能となる。
【００１５】
請求項４の発明によれば、遊技球排出口に外方へ膨らんだ部分が存在するため、遊技球排出口が円形の場合と比べて遊技球は遊技球排出口でバランスを取り難くなる。しかも遊技球が遊技球排出口でバランスを取り合った場合でも、遊技球排出口の外方へ膨らんだ部分が可動蓋部材のスライド方向とは異なる方向に位置するため、可動蓋部材上面の凹部または突部と接触する遊技球が可動蓋部材のスライド方向へ動かされた際には、可動蓋部材のスライド方向とは異なる方向に存在する遊技球排出口の外方膨み部分へ向けて他の遊技球が押されて移動し易く、この遊技球の移動によって遊技球排出口における遊技球のバランスが大きく崩れることになり、遊技球排出口から遊技球が排出されない不具合の発生を一層確実に防止することが可能となる。
【００１６】
請求項５の発明によれば、貯留皿に遊技球を貯留することなく遊技を行っている場合には、遊技球を購入するための硬貨を貯留皿に入れておくことができ、しかも、可動蓋部材の操作によって遊技球排出口を開放することにより、容易に硬貨を貯留皿から取り出すことが可能であり、便利である。
【００１７】
請求項６の発明によれば、遊技球が貯留皿の遊技球排出口から落下して装飾部材の機外排出口を通って弾球遊技機外へ排出される際に、機外排出口の内周壁の誘導壁部によって遊技球が弾球遊技機の前方側へ誘導されるため、遊技店において弾球遊技機の前方（遊技者側）下部に存在する台部に遊技球貯留箱を配置しておけば、貯留皿の遊技球を遊技球貯留箱へ容易に収容することが可能となる。
【図面の簡単な説明】
【００１８】
【図１】本発明の一実施例に係る弾球遊技機全体を示す正面図である。
【図２】同遊技機のガラス枠開放状態について遊技盤及び機構板を省略して示す斜視図である。
【図３】同遊技機のガラス枠および下側球受け部開放状態について遊技盤及び機構板を省略して示す斜視図である。
【図４】同遊技機の分解斜視図である。
【図５】同遊技機の下側球受け部について遊技球排出口閉鎖状態を示す斜視図である。
【図６】同下側球受け部について遊技球排出口開放状態を示す斜視図である。
【図７】同下側球受け部を下方から見た斜視図である。
【図８】同下側球受け部の分解斜視図である。
【図９】同下側球受け部について下側球球抜き操作部を組み付けた状態の分解斜視図である。
【図１０】同下側球抜き操作部の分解斜視図である。
【図１１】遊技球排出口閉鎖状態を示す図である。
【図１２】遊技球排出口開放状態を示す図である。
【図１３】遊技球貯留時における遊技球排出口閉鎖状態を示す図である。
【図１４】可動蓋部材のスライドによる遊技球のバランスの崩れを示す図である。
【図１５】可動蓋部材上に硬貨が配置された状態を示す図である。
【図１６】可動蓋部材上の硬貨を排出する際を示す図である。
【図１７】凹部の他の例を示す図である。
【図１８】突部の例を示す図である。
【発明を実施するための形態】
【００１９】
以下、添付の図面に基づき本発明の実施形態を説明する。図１は本発明の一実施例に係る弾球遊技機全体を示す正面図、図２は同遊技機のガラス枠開放状態について遊技盤及び機構板を省略して示す斜視図、図３は同遊技機のガラス枠および下側球受け部開放状態について遊技盤及び機構板を省略して示す斜視図、図４は同遊技機の分解斜視図、図５は同遊技機における下側球受け部について遊技球排出口閉鎖状態を示す斜視図、図６は同遊技機における下側球受け部について遊技球排出口開放状態を示す斜視図、図７は同遊技機における下側球受け部を下方から見た斜視図、図８は同遊技機における下側球受け部の分解斜視図、図９は同遊技機における下側球受け部について下側球球抜き操作部を組み付けた状態の分解斜視図、図１０は同下側球抜き操作部の分解斜視図、図１１は遊技球排出口閉鎖状態を示す図、図１２は遊技球排出口開放状態を示す図、図１３は遊技球貯留時における遊技球排出口閉鎖状態を示す図、図１４は可動蓋部材のスライドによる遊技球のバランスの崩れを示す図、図１５は可動蓋部材上に硬貨が配置された状態を示す図、図１６は可動蓋部材上の硬貨を排出する際を示す図、図１７は凹部の他の例を示す図、図１８は突部の例を示す図である。
【００２０】
図１から図４に示す弾球遊技機１は、遊技媒体として遊技球Ｐを用いるパチンコ遊技機であって、木製の外枠Ｆ１と、前記外枠Ｆ１の一側に開閉自在に軸着された合成樹脂製の前面枠体Ｆ２と、前記前面枠体Ｆ２の裏側（背面側）に上部開口部Ｆ２１を塞ぐようにして取り付けられた遊技盤２と、前記前面枠体Ｆ２における前記遊技盤２の裏側に取り付けられた機構板Ｆ３と、前記前面枠体Ｆ２の前側（遊技者側）に上部開口部Ｆ２１を覆うようにして取り付けられたガラス枠Ｇとよりなる。
【００２１】
前記機構板Ｆ２には、遊技の制御等のための主制御基板や表示制御基板、ランプ制御基板、音声制基板、発射制御基板、電源基板等の各種制御基板や、遊技球払出装置等の装置類が裏側等に取り付けられている。符号９０は遊技球払出装置であり、払出モータが回転することにより、回転球受け体（例えばスクリュー形式のもの）を回転し、回転球受け体の球受部に受け入れた遊技球を回転球受体の回転により球送りして１球ずつ排出する公知のものである。前記制御基板は、単独でまたは複数まとめて基板収納ケースに収納されている。符号２００Ａは主制御基板や表示制御基板等を覆う背面保護カバーである。また、符号９１は遊技店の遊技球供給装置からの遊技球を溜める球貯留タンク、９２は遊技球払出装置や発射装置等へ遊技球を誘導するための球誘導樋である。
【００２２】
前記ガラス枠Ｇは、前面枠体Ｆ２の上部開口部Ｆ２１から露出する遊技盤２の遊技領域６を透視可能なガラスを備えて前面枠体Ｆ２の前側に開閉可能に取り付けられている。符号Ｇ１はガラス窓部であり、前記ガラス窓部Ｇ１を覆って前記ガラスが設けられている。
【００２３】
前記弾球遊技機１の前面側には、効果音等を発するスピーカ３４、演出用の装飾ランプ３５、払い出された遊技球を受けるための上側球受け部３６、該上側球受け部３６の満杯時に遊技球を受けるための下側球受け部３７、遊技者の発射操作に応じて遊技球を前記遊技領域６へ向けて弾発発射するための発射装置６４が設けられている。本実施例では、前記スピーカ３４は前面枠体Ｆ２の前面側上部に取り付けられ、一方、前記ランプ装置３５はガラス枠Ｇの上部に、また、前記上側球受け部３６はガラス枠Ｇにおけるガラス窓部Ｇ１の下方に設けられている。前記下側球受け部３７は、前記ガラス枠Ｇの下方における前面枠体Ｆ２の前側に一側がヒンジで取り付けられて開閉可能とされている。なお、この例の弾球遊技機１には、球貸ユニット５６が接続されている。以下、弾球遊技機１の主要な部分について説明する。
【００２４】
前記遊技盤２は、前面の縁に外レール３及び内レール４が略円形に配置され、前記外レール３及び内レール４によって区画された前記遊技領域６が前記遊技盤２上に設けられている。前記遊技領域６には、中心線上の上部から下部に向かって順に表示装置１０、始動入賞口４２、大入賞口４５、アウト口４９が配置されている。前記始動入賞口４２及び前記大入賞口４５の左右には左袖入賞口５１、右袖入賞口５２、左落とし入賞口５３、右落とし入賞口５４が配置されている。前記始動入賞口４２、大入賞口４５、左袖入賞口５１、右袖入賞口５２、左落とし入賞口５３、右落とし入賞口５４は本発明における入賞口に相当する。また、前記表示装置１０の左右には普通図柄変動開始用ゲート５５、５６、その上方にはランプ風車７４，７５、下方には風車７６，７７が設けられている。なお、前記遊技領域６には、前記遊技領域６に打ち込まれた遊技球Ｐを誘導する複数の釘（図示せず）が所要位置に立設されている。
【００２５】
前記表示装置１０は、文字又は図柄等の画像を変動表示可能なものであって、液晶，ドットマトリックス若しくはＬＥＤ表示装置等の表示装置からなり、この実施例では、液晶表示器（ＴＦＴ−ＬＣＤモジュール）で構成され、左下に普通図柄表示部５０が組み込まれ、その他の大部分が特別図柄表示部１１となっている。
【００２６】
前記特別図柄表示部１１には、横に並ぶ３つの判定図柄表示領域として左側表示領域、中央表示領域、右側表示領域を備え、左側表示領域では左特別図柄（左判定図柄）が、中央表示領域では中特別図柄（中判定図柄）が、右側表示領域では右特別図柄（右判定図柄）が、それぞれ変動表示し、所定時間変動表示した後、判定結果に基づき左確定特別図柄、中確定特別図柄、右確定特別図柄が確定判定図柄として停止表示される。また、前記特別図柄表示部１１には、前記特別図柄（判定図柄）に加えて背景画像（キャラクタ，背景，文字等を含む。）が表示されることもあり、該背景画像が特別図柄の変動開始等の所定条件に起因して変動表示可能となっていてもよい。なお、この実施例における前記左側表示領域、中央表示領域、右側表示領域にそれぞれ変動および停止表示される特別図柄（判定図柄）は、『１，２，３，４，５，６，７，８』の８通りの図柄とされている。本実施例では、遊技者に有利な特典を付与する大当たりか否かの当否判定結果が大当たり（当たり）の場合には、前記特別図柄表示部１１に大当たり確定特別図柄組合せ、この例では『１，１，１』（いわゆる‘１’のぞろ目）や『２，２，２』（いわゆる‘２’のぞろ目）等、同一数字の組合せ）で特別図柄（判定図柄）が停止表示され、遊技者に有利な特典を付与する大当たり遊技（特別遊技）に移行する。なお、遊技者に有利な特典は、本実施例では、遊技者による遊技球の獲得し易さ増大に設定されている。
【００２７】
前記普通図柄表示部５０は、記号或いは絵（キャラクタ）等の小当たり判定用普通図柄を変動表示及び停止表示する。本実施例における普通図柄表示部５０に変動及び停止表示される普通図柄は、『０，１，２，３，４，５，６，７，８，９』の１０通りの図柄とされている。前記普通図柄は、小当たり普通図柄、この例では奇数で停止すると、小当たりとなる。
【００２８】
前記始動入賞口４２は、２つの可動片４２ａ，４２ｂが背面の始動入賞口用ソレノイドによって略垂直で遊技球の入賞（入球）し難い狭小開放状態（通常状態）と略Ｖ字形（逆ハの字形）の入賞し易い拡開開放状態間を変化可能に制御されている。前記始動入賞口４２の可動片４２ａ，４２ｂ間が入賞（入球）領域に相当する。前記始動入賞口４２の拡開開放は、前記普通図柄表示部５０で普通図柄が変動した後特定の普通図柄（本実施例では奇数）で確定停止表示されて小当たり（普通図柄当たり）が成立した時に行われる。
【００２９】
また、前記遊技盤２の背面には、始動入賞口検出スイッチ（始動入賞口センサ）が入賞球用通路に設けられており、前記始動入賞口４２への遊技球の入賞（入球）を検出するように構成されている。
【００３０】
前記普通図柄変動開始用ゲート５５，５６は、前記遊技盤２の背面に設けられた普通図柄変動開始スイッチで普通図柄変動開始用ゲート５５，５６を通過する遊技球を検出することによって前記普通図柄表示部５０で普通図柄の変動を開始させるようになっている。また、前記左袖入賞口５１と右袖入賞口５２の入賞球を検出する左袖入賞口用検出スイッチと右袖入賞口用検出スイッチ、前記左落とし入賞口５３と右落とし入賞口５４の入賞球を検出する左落とし入賞口用検出スイッチと右落とし入賞口用検出スイッチが、それぞれ対応する遊技盤背面に設けられている。
【００３１】
前記大入賞口４５は、前記遊技盤２の背面に設けられた大入賞口開放用ソレノイドによって開閉する開閉板４６を備えている。この大入賞口４５は、通常は開閉板４６が閉じた状態とされ、当該大入賞口４５内の一部には、大入賞口４５が開いた際に開口して入賞可能にする特定領域入賞口４７を有する。さらに、特定領域入賞口４７には、所定条件時に特定領域開放用ソレノイドにより開閉される開閉扉が設けられている。また、前記特定領域入賞口４７には特定入賞球を検出する特定入賞球検出スイッチ（特定領域センサ）が設けられ、入賞球の検出により大入賞口４５を再度開ける継続権利が成立し、本実施例では最高１５ラウンド繰り返し可能にされている。また、前記大入賞口４５内の略中央には、大入賞口４５に入賞し、かつ前記特定領域入賞口４７に入賞しなかった入賞球を検出する入賞球数カウントスイッチ（カウントセンサ）が設けられている。
【００３２】
前記発射装置６４は、操作レバー６５の操作により駆動する発射モータを裏側に有し、該発射モータの駆動により遊技球を弾発発射するようになっている。前記発射装置６４により発射された発射球は、前記遊技盤面に立設された内側誘導レール４と外側誘導レール３間で構成される発射球誘導路を介して遊技領域６に誘導される。前記遊技領域６に誘導された遊技球は、転動しつつ下方へ落下し、前記各装置及び各入賞口に入賞するか、或いは何処にも入賞しなければ前記アウト口４９から遊技盤２の裏側へ排出される。
【００３３】
ここで前記弾球遊技機１における遊技について簡略に説明する。前記弾球遊技機１においては、前記遊技領域６へ向けて前記発射装置６４により発射された遊技球が、前記種々の入賞口に入賞すると入賞口に応じた所定数の遊技球が賞球として払い出される。また、前記普通図柄変動開始用ゲート５５，５６を遊技球が通過すると、普通図柄当たり判定・普通図柄決定用乱数値が取得され、その取得乱数値に基づいて普通図柄の当たり（小当たり）判定および停止普通図柄の決定が行われ、前記普通図柄表示部５０で普通図柄が変動を開始し、所定時間変動後に停止する。その際、前記普通図柄の当たり判定結果が小当たりの場合には、小当たり普通図柄、この例では奇数で停止し、前記始動入賞口４２の２つの可動片４２ａ，４２ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口４２に遊技球が入賞すると、所定数の遊技球が賞球として払い出される。
【００３４】
また、前記始動入賞口４２に遊技球が入賞すると、大当たり判定用乱数値及び大当たり図柄決定用乱数値、外れ図柄決定用乱数値等が取得され、前記取得された大当たり判定用乱数値に基づいて大当たりの当否判定が行われ、前記特別図柄表示部１１で特別図柄（判定図柄）が変動を開始し、所定時間変動後にそれぞれ大当たり図柄決定用乱数値あるいは外れ図柄決定用乱数値に基づく特別図柄で停止表示される。
【００３５】
前記大当たりの当否判定結果が当たりの場合には、前記特別図柄表示部１１に大当たり図柄（大当たり判定図柄）、この例では『１，１，１』（いわゆる‘１’のぞろ目）や『２，２，２』（いわゆる‘２’のぞろ目）等、同一数字の組合せ）で停止表示され、大当たり遊技（特別遊技）に移行する。一方、外れの場合には、外れ図柄決定用乱数値に基づく外れ図柄、すなわち、ぞろ目以外の図柄が表示される。
【００３６】
大当たりとなって大当たり遊技（特別遊技）状態になると、前記大入賞口４５の開閉板４６が開いて遊技領域６の表面を落下してくる遊技球を受け止め易くして、大入賞口４５へ入賞可能にし、該大入賞口４５への入賞があると、所定数の遊技球が賞球として払い出される。前記開閉板４６は、所定時間（例えば２９．５秒）経過後、或いは入賞球数が所定個数（例えば１０個）となった時点で閉じるようにされている。また、前記大入賞口４５の開放中又は大入賞口４５が閉じてから約２秒以内に、大入賞口内の特定領域入賞口４７への入賞球が検出されると、前記大当たりを再度繰り返す継続権利が発生し、所定最高ラウンド数（例えば最高１５ラウンド）、前記開閉板４６の開放を繰り返すようになっている。
【００３７】
前記各種入賞口への入賞（入球）により前記遊技球払出装置９０から払い出される遊技球は、図２および図３に示す上側球出口３１を通って前記上側球受け部３６へ排出され、上側球受け部３６で貯留される。前記上側球受け部３６は、遊技球を所定個数貯留可能とされており、満杯時あるいは遊技者の希望時に上側球抜き操作部６７を遊技者が操作することにより、前記上側球受け部３６の遊技球を前記下側球受け部３７へ排出可能とされている。本実施例の上側球抜き操作部６７は、押しボタン式からなり、押しボタンを押すことにより上側球受け部３６の底部に形成されている上側球排出口を開放するように構成されている。なお、前記上側球抜き操作部６７は、スライド式にして上側球受け部３６の底部に形成されている上側球排出口をスライド板で開閉させるものでもよい。図３に示す符号３２は前記下側球受け部３７への遊技球出口である。
【００３８】
本実施例では、前記下側球受け部３７に本発明の遊技球排出に関する構成が適用されている。前記下側球受け部３７の構成について詳述する。図５〜図７に下側球受け部３７を示す。前記下側球受け部３７は、図８〜図９に示すように、第１装飾部材３７１と、貯留皿３８０と、下側球抜き装置３９０と、第２装飾部材４２０とで構成される。
【００３９】
前記第１装飾部材３７１は、下側球受け部３７を前記前面枠体Ｆ２の下部前面に開閉可能に取り付けるため、及び下側球受け部３７の背面と左側部を装飾するための部材であり、背面壁部３７２と左側部３７３を有する。前記背面壁部３７２は略垂直に形成され、右端の背面側には前面枠体Ｆ２の係止孔（図示せず）に対する係止爪３７４が上下スライド可能に設けられ、一方、前記左側部３７３の左端には前面枠体Ｆ２へ回動可能に取り付けるための軸３７５ａと孔３７５ｂ（図５、図６に示す）が上下に形成されている。前記係止爪３７４は、前記前面枠体Ｆ２の係止孔へ係止するようにバネ（図示せず）で上方へ付勢されており、係止爪の上部３７４ａを下方へ押すことにより係止爪３７４が下方へ移動して前面枠体Ｆ２の係止孔との係合が解除され、前記左側部３７３の軸３７５ａを回動軸として下側球受け部３７が前方へ回動可能となり、下側球受け部３７を開放状態にすることができる。また、前記背面壁部３７２の中央付近には、前記前面枠体Ｆ２の遊技球出口３２と連通する下側球出口３７６が前後に貫通して形成され、前記上側球受け部３６から球抜きした遊技球を貯留皿３８０へ排出して貯留皿３８０で貯留可能とされている。なお、前記遊技球出口３２は、図示しない樋部材によって前記上側球受け部３６の上側球排出口（図示せず）と連通しており、前記上側球抜き操作部６７の操作による前記上側球排出口の開放によって、前記上側球受け部３６内の遊技球が樋部材を通って遊技球出口３２および下側球出口３７６へ誘導されるように構成されている。なお、前記第１装飾部材３７１の左側部３７３には演出操作ボタン３７８が設けられているが、本発明とは直接関係しないため説明を省略する。
【００４０】
前記貯留皿３８０は、上方が開口した皿状からなり、遊技球を所定個数貯留可能な大きさで構成されている。前記貯留皿３８０は、前記背面壁部３７２の下側球出口３７６からの遊技球を受けることができるように、前記背面壁部３７２の前面側において前記下側球排出口より下方位置に取り付けられ、これにより前記背面壁部３７２を介して前面枠体Ｆ２の前面下部に取り付けられる。
【００４１】
前記貯留皿３８０の底部３８１には、前記貯留皿３８０内の遊技球を排出するための遊技球排出口３８２が形成されている。前記遊技球排出口３８２は、少なくとも遊技球Ｐの２球分以上の大きさとされ、これにより、効率よく貯留皿３８０内の遊技球が遊技球排出口３８２を通って排出可能とされている。さらに本実施例の遊技球排出口３８２は、図１５および図１６に示すように、遊技に使用される遊技球の購入に使用可能な硬貨Ｔよりも大とされている。本実施例において遊技球の購入は、弾球遊技機１の隣に配置されている球貸ユニット５６の硬貨投入口に所定金額の硬貨を投入することにより行うことができる。遊技球の購入に使用可能な硬貨Ｔとしては、１００円硬貨、５００円硬貨等を挙げることができる。本実施例では、現時点において一般的に広く流通している硬貨の中で径が最大である５００円硬貨よりも大きな孔形状で前記遊技球排出口３７６が形成され、それにより５００円硬貨や１００円硬貨等の硬貨が前記遊技球排出口３７６を通って落下可能になっている。
【００４２】
また、前記遊技球排出口３８２は、図１２にも示すように円形の一部３８３が外方へ膨らんで細くなった孔形状（すなわち、落下する雫（雫）形状や、果物のいちじく形状に類似する形状、または大小の円弧を略直線で接続した長孔形状等として表現できる形状）で構成されている。前記遊技球排出口３８２の外方へ膨らんだ部分３８３は、後述する可動蓋部材３９５が前記遊技球排出口３８２の閉鎖状態から開放状態へスライドする際のスライド方向Ｑとは異なる方向（図示の例では略直交する方向）に位置している。
【００４３】
前記下側球抜き装置３９０は、下側球抜き操作部３９１と可動蓋部材３９５と作動部４００とよりなる。前記下側球抜き操作部３９１は、図１０に示すように、操作ボタン３９２が上下動可能に保持筒部３９４に収納されて、前記保持筒部３９４内に設けられたコイルスプリング（図示せず）によって上方へ付勢されている。前記操作ボタン３９２は下部に突設された軸部３９３が前記保持筒部３９４の下方へ突出し、また、操作ボタン３９２の上部が前記保持筒部３９４の上方に突出している。前記操作ボタン３９２を押下することにより、前記操作ボタン３９２が下方へ移動し、前記保持筒部３９４の下方からの前記軸部３９３の突出量が増大する。一方、前記操作ボタン３９２の押下を止めると、前記コイルスプリングによって操作ボタン３９２が上方へ移動し、前記保持筒部３９４の下方からの前記軸部３９３の突出量が少なくなる。前記下側球抜き操作部３９１は、後述の第２装飾部材４２０の右上壁得４２５に形成されている取付孔４２６に装着されて所定位置に組み付けられる。
【００４４】
前記可動蓋部材３９５は、前記遊技球排出口３８２を下方から塞ぐことのできる大きさの板状体からなり、図示の例では基部側から先端に向けて大きくされた、略しゃもじ形状に形成されている。前記可動蓋部材３９５は、後述の作動部４００により前記遊技球排出口３８２の下側に設けられてスライド可能とされる。前記可動蓋部材３９５はスライドにより前記遊技球排出口３８２を開閉し、前記遊技球排出口３８２の閉鎖によって前記遊技球排出口３８２で遊技球を受け止め、一方、前記遊技球排出口３８２の開放によって前記遊技球排出口３８２からの遊技球の排出を可能にする。また、前記可動蓋部材３９５は、前記貯留皿３８０内に遊技球が貯留されていない状態において、前記遊技球排出口３８２の閉鎖時、前記遊技球排出口３８２の可動蓋部材３９５の上面に硬貨が載置された場合、硬貨が遊技球排出口３８２から落下するのを防止し、一方、前記遊技球排出口３８２の開放によって前記遊技球排出口３８２からの硬貨の排出を可能にする。前記可動蓋部材３９５は、図１５に示すように、スライド時における前記可動蓋部材３９５の上面と前記遊技球排出口３８２間の隙間ｓ１が硬貨Ｔの厚みより小となるように作動部４０に取り付けられている。
【００４５】
前記可動蓋部材３９５の上面には、図１１に示すように可動蓋部材３９５が前記遊技球排出口３８２の閉鎖状態から、図１２に示すように遊技球排出口３８２の開放状態へスライドする際に、前記可動蓋部材３９５上に位置する少なくとも１つの遊技球Ｐと接触して遊技球Ｐを前記可動蓋部材３９５のスライド方向Ｑへ動かす凹部３９７が形成されている。前記凹部３９７は、遊技球Ｐの一部が嵌入可能な大きさで形成されている。すなわち、前記凹部３９７は、遊技球Ｐを構成する球体全体が前記凹部３９７内に嵌るのではなく、遊技球Ｐを構成する球体の一部のみが前記凹部Ｐに嵌ることができる大きさで形成されている。このように構成することにより、前記可動蓋部材３９５をスライドさせた際に、前記凹部３９７から突出している遊技球の部分が他の遊技球と干渉して他の遊技球も一緒に動かすことができるため、前記遊技球排出口３８２の部分において遊技球同士のバランスを効果的に崩すことができ、前記遊技球同士のバランスにより遊技球排出口３８２が詰まったような状態となって前記遊技球排出口３８２から遊技球が排出されない不具合の発生を防止することが可能となる。
【００４６】
さらに、前記凹部３９７のより好ましい大きさは、前記遊技球Ｐの嵌入が球体の半分未満となる大きさである。前記可動蓋部材３９５の上面の凹部３９７をこのように構成すれば、遊技球Ｐにおける最大径の部分よりも下の小径部分のみが前記凹部３９７に嵌った状態となるため、前記可動蓋部材３９５が前記遊技球排出口３８２の閉鎖状態から開放状態へスライドする際に、前記凹部３９７の遊技球Ｐが前記凹部３９７を乗り越えやすくなり、遊技球Ｐが凹部３９７を乗り越えられずに最後まで凹部３９７に嵌った状態となるのを防ぐことが可能である。もし、前記可動蓋部材３９５が前記遊技球排出口３８２の閉鎖状態から開放状態へスライドする際に、遊技球Ｐが凹部３９７を乗り越えられずに最後まで凹部３９７に嵌った状態となった場合には、凹部３９７に嵌っている遊技球Ｐが遊技球排出口３８２の内周縁と衝突して前記可動蓋部材３９５のそれ以上のスライドが妨げられて遊技球排出口３８２の完全な開放が妨げられたり、前記可動蓋部材３９５上に遊技球が残って遊技球排出口３８２から遊技球を完全に排出できなくなったりするおそれがある。
【００４７】
さらに、前記凹部３９７は、前記硬貨全体の嵌らない大きさ、すなわち、硬貨の平面形状の全体が嵌らない大きさで形成されている。このように構成したことにより、前記可動蓋部材３９５が前記遊技球排出口３８２の閉鎖状態から開放状態へスライドする際に、前記可動蓋部材３９５上の凹部に３９７に嵌った硬貨が可動蓋部材３９５と共に移動し、前記貯留皿３８と可動蓋部材３９５間に引き込まれて取れなくなったり、可動蓋部材３９５が動かなくなったりするのを防ぐことが可能となる。
【００４８】
本実施例の凹部３９７は、図１１および図１５に示すように、平面視形状が、遊技球の購入に使用可能な硬貨Ｔの平面形状の全体が嵌らない三日月形状で形成されている。前記凹部３９７の三日月形状を構成する内側の円弧３９７ａと外側の円弧３９７ｂ間の最大間隔ｄ１は遊技球の直径より小とされ、また前記凹部３９７の深さは硬貨の厚みより小に形成されている。
【００４９】
前記可動蓋部材３９５における凹部３９７の位置は、前記遊技球排出口３８２を可動蓋部材３９５が閉鎖した状態において、前記遊技球排出口内で中央となる位置Ｙａよりも、前記可動蓋部材３９５が遊技球閉鎖状態から開放状態へスライドする際のスライド後方Ｙｂ寄りとなる位置、すなわち前記スライド後方側の遊技球排出口３８２内周縁３８２ａに接近して形成されている。本実施例においては、前記三日月形状の凹部３９７は、前記遊技球排出口３８２を前記可動蓋部材３９５で閉鎖した状態から開放状態へスライドさせる際のスライド後方側となる前記遊技球排出口３８２の内周に沿って位置するように形成されている。このように構成したことにより、前記遊技球排出口３８２の閉鎖状態から開放状態へ可動蓋部材３９５がスライドする際に、前記凹部３９７と接触して動かされる遊技球の移動量が大になり、遊技球排出口３８２における遊技球のバランスを効果的に崩すことができ、遊技球排出口３８２から遊技球が排出されない不具合の発生を一層確実に防止することが可能となる。さらに、前記可動蓋部材３９５の上面に載置された硬貨の一部が凹部３９７に嵌って硬貨が傾くことがあっても、遊技球排出口の閉鎖状態から開放状態へ可動蓋部材３９５がスライドする際に、硬貨は凹部３９７が位置する可動蓋部材３９５のスライド後方側で低く、反対のスライド前方側で高くなって傾くことになり、位置が高くなった硬貨の縁側から遊技球排出口３８２の内周縁へ接近することになるため、傾斜により位置の高くなった硬貨の縁が遊技球排出口３８２の内周縁と衝突することになるため、遊技球排出口３８２と可動蓋部材３９５の上面間の隙間に引き込まれたり、硬貨の一部が可動蓋部材３９５と遊技球排出口３８２の間に挟まったりして、硬貨の取り出しが困難となるのを効果的に防ぐことが可能となる。
【００５０】
また、前記可動蓋部材３９５の上面には、前記遊技球排出口３８２の閉鎖状態時に前記可動蓋部材３９５の上面に配置された硬貨Ｔの一部が前記凹部３９７に落ち込んで硬貨Ｔが傾斜するのを防ぐ硬貨支持部３９６が形成されている。前記硬貨支持部３９６は、図１５に示すように、前記可動蓋部材３９５の上面に載置された硬貨Ｔが前記凹部３９７上に最大量突出して（はみ出して）硬貨Ｔの縁が凹部３９７上方に位置する場合にも、硬貨Ｔの重心位置を支持して硬貨Ｔの重心位置が凹部３９７上方とならないようにするものである。本実施例の硬貨支持部３９６は、前記可動蓋部材３９５の上面における非凹部の一部で構成されており、具体的には、前記凹部３９７の三日月形状を構成する内側の円弧３９７ａと隣接する可動蓋部材３９５の上面における非凹部の部分が、前記硬貨支持部３９６を構成している。
【００５１】
前記作動部４００は、図１０に示すように、取付板部４０１、上下揺動機構４０２、水平揺動機構４０７を有する。前記取付板部４０１は、前記第１装飾部材３７１における背面壁部３７２の前面側に前記作動部４００を取り付けるためのものであり、ネジによって前記背面壁部３７２における前記下側球出口３７６の右方に固定される。
【００５２】
前記上下揺動機構４０２は、前記取付板部４０１の前面から突出した上下揺動体支持部４０３に上下揺動可能に上下揺動体４０４が軸着された構成からなる。前記上下揺動体４０４は、水平部４０５とその後方から上方へ突出した垂直部４０６とよりなり、前記水平部４０４０５の後方側で前記上下揺動体支持部４０３に軸ｊａで上下揺動可能に軸支されている。前記水平部４０５は、前記下側球抜き操作部３９１における操作ボタン３９２の非押下状態時に、操作ボタン３９２の下部の軸部３９３下端と略当接した状態とされ、前記操作ボタン３９２が押下されたときに軸部３９３で押し下げられ、それにより、前記垂直部４０５が前記取付板部４０１の前方側へ揺動する。
【００５３】
前記水平揺動機構４０７は、前記上下揺動機構４０２の左方に設けられ、前記取付板部４０１の前面から突出した水平揺動体支持部４０８に水平揺動可能に水平揺動体４０９が軸着された構成からなる。前記水平揺動体４０９は、前記水平揺動体支持部４０８に軸ｊｂで軸支された上下方向の筒部４１０と、前記筒部４１０の側部から前記上下揺動体４０３における垂直部４０５の前方へ突出形成された突起部４１１とよりなる。前記水平揺動体４０９は、前記水平揺動体支持部４０８と前記突起部４１１間に設けられたトーションバネ（図示せず）により、前記突起部４１１が前記取付板部４０１側（第１装飾部材３７１の背面壁部３７２側）へ付勢されている。それにより、前記上下揺動体４０３の垂直部４０５が前記突起部４１１で前記取付板部４０１側へ押され、前記上下揺動体４０３の水平部４０４が上方へ揺動した状態になっている。また、前記水平揺動体４０９は、前記突起部４１１が前記上下揺動体４０３の垂直部４０５で前方へ押されると前記トーションバネに抗して前方へ揺動する。
【００５４】
前記水平揺動体４０９の筒部４１０には前記可動蓋部材３９５が前記上下揺動機構４０２とは反対側に取り付けられて前記水平揺動体４０９と共に揺動可能とされ、前記水平揺動体４０９の突起部４１１が前記上下揺動機構４０２の垂直部４０５で前方へ押されていない状態の時に、前記可動蓋部材３９５が前記貯留皿３８０の前記遊技球払出口３８２を下側から塞ぐようにされている。
【００５５】
前記作動部４００の作動について説明する。前記操作ボタン３９２が押下されると、前記操作ボタン３９２の下部の軸部３９３により前記上下揺動体４０３の水平部４０４が下方ａ１へ押されて上下揺動体４０３の垂直部４０５が前方方向ａ２へ揺動する。それにより、前記水平揺動体４０９は、前記突起部４１１が前記上下揺動体４０３の垂直部４０５で前方へ押されて前方方向ａ３へ揺動する。また、前記水平揺動体４０９の筒部４１０に取り付けられている可動蓋部材３９５が前記水平揺動体４０９の揺動によりＱ方向、すなわち前記第１装飾部材３７１の背面壁部３７２へ接近する方向へ前記貯留皿３８０の下方で揺動（スライド）し、前記貯留皿３８０の遊技球排出口３８２を開放する。また、前記操作ボタン３９２の押下を止めると、前記水平揺動体４０９がトーションバネの付勢により元の位置に揺動し、それにより前記可動蓋部材３９５が前記操作ボタン３９２の押下時の揺動方向（スライド方向）Ｑとは反対方向Ｑ１へ揺動（スライド）し、前記遊技球排出口３８２を閉鎖する。
【００５６】
前記第２装飾部材４２０は、本発明における装飾部材に相当し、前記貯留皿３８０の前側の側部および底部の外側を覆う下側壁部４２１と、前記下側球受け部３７の上部右側部を構成する右上部壁部４２５とからなり、略船底形状とされている。前記第２装飾部材４２０と前記貯留皿３８０の底部間には前記可動蓋部材３９５がスライド可能に位置する。前記右上壁部４２５には前記下側球抜き操作部３９１のための取付孔４２６が形成されている。前記第２装飾部材４２０の下側壁部４２１の底部には、図７および図１１〜図１６等に示すように、前記貯留皿３８０の遊技球排出口３８２の下方に遊技球誘導部材４３０が組み付けられている。前記遊技球誘導部材４３０には、前記貯留皿３８０における遊技球排出口３８２の開放時に遊技球排出口３８２から落下する遊技球を弾球遊技機外、例えば遊技球貯留箱（ドル箱）へ排出するための機外排出口４３１が前記遊技球排出口３８２の直下方向に形成されている。本実施例の遊技球誘導部材４３０は、前記第１装飾部材３７１の背面壁部３７２における前面側に取り付けられており、前記第２装飾部材４２０が前記第１装飾部材３７１の背面壁部３７２における前面側に取り付けられた際に、第２装飾部材４２０の下側壁部４２１の底部に形成されている開口部４２３（図８等にも示す）に前記機外排出口４３１が位置するように構成されている。また、前記機外排出口４３１の内周壁４３２には、前記機外排出口４３１を流下する遊技球を弾球遊技機１の前方側へ誘導するための誘導壁部４３２ａが、弾球遊技機１の前方へ向けて傾斜して形成されている。
【００５７】
前記貯留皿３８０に貯留された遊技球の排出および貯留皿３８０に配置された硬貨の取り出しについて説明する。前記貯留皿３８０に貯留された遊技球を排出する際、前記下側球抜き操作部３９１の操作ボタン３９２が遊技者により押下されると、前記可動蓋部材３９５は、図１１に示す遊技球排出口３８３の閉鎖状態からＱ方向へスライド（揺動）して図１２に示す遊技球排出口開放状態となる。その際、前記可動蓋部材３９５をスライドさせるまで遊技球排出口３８２の部分で遊技球Ｐ同士のバランスが取れていても、図１３および図１４に示すように、前記可動蓋部材３９５上の凹部３９７に一部嵌っている遊技球Ｐ１が、前記可動蓋部材３９５のスライドによって可動蓋部材３９５のスライド方向Ｑへ、例えばＰ１ａからＰ１ｂのように動くため、さらには前記遊技球Ｐ１の移動により遊技球Ｐ１と隣接する遊技球Ｐ２が前記遊技球排出口３８２の外方へ膨らんだ部分３８３へ向けて押されるため、あるいは遊技球Ｐ１が可動蓋部材３９５のスライド方向Ｑへ動かない場合であっても、遊技球排出口３８２に存在する複数の遊技球Ｐの下部と順に接触しながら可動蓋部材上面の凹部３９７が移動し、それによって複数の遊技球Ｐが上下に動くため、遊技球同士のバランスが崩れて遊技球が遊技球排出口３８２から落下し、貯留皿３８０から排出される。また、前記遊技球排出口３８２から落下した遊技球は、図１２に示すように遊技球排出口下方の前記機外排出口４３１から弾球遊技機１外へ排出される際に、前記誘導壁部４３２ａによって弾球遊技機１の前方側へ誘導され、弾球遊技機１の前方下部に配置した遊技球貯留箱（図示せず）に自動的に収容される。
【００５８】
一方、遊技球が貯留されていない前記貯留皿３８０内における遊技球排出口３８２の可動蓋部材３９５上に硬貨Ｔを配置した場合、前記下側球抜き操作部３９１の操作ボタン３９２が遊技者により押下されると、前記可動蓋部材３９５は、図１５に示す遊技球排出口３８３の閉鎖状態からＱ方向へスライド（揺動）し、図１６に示す遊技球排出口開放状態となる。それによって、それまで可動蓋部材３９５上に載置されていた硬貨Ｔが、前記遊技球排出口３８２から落下し、前記貯留皿３８０から取り出される。前記可動蓋部材３９５のスライド時、前記のように可動蓋部材３９５上における凹部３９７の大きさや位置、前記硬貨支持部３９６の存在等により硬貨Ｔの傾きが防止され、さらには前記可動蓋部材３９５の上面と前記遊技球排出口３８２間の隙間ｓ１が硬貨Ｔの厚みより小にされていることにより、硬貨Ｔが前記可動蓋部材３９５の上面と前記遊技球排出口３８２の隙間ｓ１に引き込まれたり、硬貨Ｔの一部が前記可動蓋部材３９５と遊技球排出口３８２の周縁間に挟まったりして、硬貨Ｔの取り出しが困難となるのが防止される。
【００５９】
なお、前記実施例においては可動蓋部材３９５の上面に設ける凹部として三日月形状の凹部３９７を示したが、前記凹部は他の形状であってもよい。例えば、図１７に示すように球面の一部を構成する窪み状の凹部３９７Ａや他の形状の凹部を可動蓋部材３９５の上面に設けてもよい。また、前記可動蓋部材３９５の上面には前記凹部に代えて突部を設け、前記突部を可動蓋部材と共に移動させることにより、前記遊技球排出口３８０における遊技球のバランスを崩すようにしてもよい。例えば、図１８に示すように、リブ状の突起３９７Ｂを可動蓋部材３９５の上面に設けてもよい。その場合、可動蓋部材３９５のスライド時に突部３９７Ｂの上端が前記遊技球排出口３８２の周縁と衝突しないように、前記突部３９７Ｂの高さおよび隙間ｓ１が設定される。
【００６０】
本発明は、前記の実施例に限定されるものではなく、発明の趣旨を逸脱しない範囲で変更可能である。例えば、前記実施例では、可動蓋部材を揺動によってスライドさせているが、それに限られるものではなく、例えば直線往復運動により可動蓋部材をスライドさせるものであってもよい。
【符号の説明】
【００６１】
１  遊技機
２  遊技盤
１０  表示装置
３６  上側球受け部
３７  下側球受け部
４５  大入賞口
６４  発射装置
３８０  貯留皿
３８２  遊技球排出口
３９５  可動蓋部材
３９７  凹部
３９７Ｂ  突部
４２０  第２装飾部材（装飾部材）
４３１  機外排出口
４３２ａ  誘導壁部
Ｐ  遊技球
Ｔ  硬貨
【図１】
2010179190.tif 000003
【図２】
2010179190.tif 000004
【図３】
2010179190.tif 000005
【図４】
2010179190.tif 000006
【図５】
2010179190.tif 000007
【図６】
2010179190.tif 000008
【図７】
2010179190.tif 000009
【図８】
2010179190.tif 000010
【図９】
2010179190.tif 000011
【図１０】
2010179190.tif 000012
【図１１】
2010179190.tif 000013
【図１２】
2010179190.tif 000014
【図１３】
2010179190.tif 000015
【図１４】
2010179190.tif 000016
【図１５】
2010179190.tif 000017
【図１６】
2010179190.tif 000018
【図１７】
2010179190.tif 000019
【図１８】
2010179190.tif 000020
【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
遊技盤に設けられた入賞口に遊技球が入球することに基づいて払い出される遊技球を受けて貯留可能な貯留皿と、
前記貯留皿内の遊技球を排出するために前記貯留皿に形成された遊技球排出口と、
前記遊技球排出口を開閉可能な可動蓋部材と、
を備えた弾球遊技機において、
前記遊技球排出口は少なくとも遊技球２球分以上の大きさで形成され、
前記可動蓋部材は、前記遊技球排出口の下側に設けられてスライドにより前記遊技球排出口の開閉が可能とされると共に、前記遊技球排出口閉鎖によって前記遊技球を受け止めるようにされ、前記遊技球排出口の閉鎖状態から開放状態へスライドする際に前記可動蓋部材上に位置する少なくとも１つの遊技球と接触して遊技球を前記可動蓋部材のスライド方向へ動かす凹部が前記可動蓋部材の上面に形成されていることを特徴とする弾球遊技機。
【請求項２】
前記凹部は、遊技球の一部が嵌入可能な大きさからなることを特徴とする請求項１に記載の弾球遊技機。
【請求項３】
前記遊技盤を保持する前面枠体を備えると共に前記前面枠体の前面側に前記貯留皿が設けられ、
前記可動蓋部材は、前記遊技球排出口の閉鎖状態時に前記遊技球排出孔内で中央となる位置よりも、前記可動蓋部材が前記遊技球排出口の閉鎖状態から開放状態へスライドする際のスライド後方寄りとなる位置に、前記凹部が形成されていることを特徴とする請求項１または２に記載の弾球遊技機。
【請求項４】
前記遊技球排出口は、遊技球の購入に使用可能な硬貨よりも大きく形成されていることを特徴とする請求項１から３の何れか一項に記載の弾球遊技機。
【請求項５】
前記貯留皿の側部および底部の外側が装飾部材で覆われ、
前記貯留皿の底部と前記装飾部材間に前記可動蓋部材が配置され、
前記貯留皿の底部には前記遊技球排出口が形成され、
前記装飾部材には、前記可動蓋部材による前記遊技球排出口の開放時に前記遊技球排出口から落下する遊技球を弾球遊技機外へ排出するための機外排出口が、前記遊技球排出口の直下方向に設けられ、
前記機外排出口の内周壁には前記機外排出口を流下する遊技球を弾球遊技機の前方側へ誘導するための誘導壁部が弾球遊技機の前方へ向けて形成されていることを特徴とする請求項１から４の何れか一項に記載の弾球遊技機。
【手続補正２】
【補正対象書類名】明細書
【補正対象項目名】全文
【補正方法】変更
【補正の内容】
【発明の詳細な説明】
【技術分野】
【０００１】
本発明は、貯留皿の遊技球排出口を開閉する可動蓋部材を有する弾球遊技機に関する。
【背景技術】
【０００２】
従来、パチンコ遊技機等の弾球遊技機にあっては、遊技盤に設けられた入賞口に遊技球が入球することに基づいて払い出される遊技球を貯留皿で受け止めて貯留するようにされている。貯留皿の遊技球排出口は可動蓋部材によって開閉可能に構成され、遊技者の操作により遊技球排出口を開放して貯留皿内の遊技球を弾球遊技機外へ排出することができるように構成されている。
【先行技術文献】
【特許文献】
【０００３】
【特許文献１】特開平２−１５４７７６号公報
【発明の概要】
【発明が解決しようとする課題】
【０００４】
しかしながら、遊技球排出口を開放しても、遊技球排出口で遊技球同士のバランスが取れて遊技球が遊技球排出口から排出されない不具合を生じるおそれがある。
【０００５】
本発明は、前記の点に鑑みなされたものであって、遊技球排出口で遊技球同士のバランスが取れて遊技球が遊技球排出口から排出されない不具合の発生を防止可能な弾球遊技機の提供を目的とする。
【課題を解決するための手段】
【０００６】
請求項１の発明は、遊技盤に設けられた入賞口に遊技球が入球することに基づいて払い出される遊技球を受けて貯留可能な貯留皿と、前記貯留皿内の遊技球を排出するために前記貯留皿に形成された遊技球排出口と、前記遊技球排出口を開閉可能な可動蓋部材と、を備えた弾球遊技機において、前記遊技球排出口は少なくとも遊技球２球分以上の大きさで形成され、前記可動蓋部材は、前記遊技球排出口の下側に設けられてスライドにより前記遊技球排出口の開閉が可能とされると共に、前記遊技球排出口閉鎖によって前記遊技球を受け止めるようにされ、前記遊技球排出口の閉鎖状態から開放状態へスライドする際に前記可動蓋部材上に位置する少なくとも１つの遊技球と接触して遊技球を前記可動蓋部材のスライド方向へ動かす凹部が前記可動蓋部材の上面に形成されていることを特徴とする。
【０００７】
請求項２の発明は、請求項１において、前記凹部は、遊技球の一部が嵌入可能な大きさからなることを特徴とする。
【０００８】
請求項３の発明は、請求項１または２において、前記遊技盤を保持する前面枠体を備えると共に前記前面枠体の前面側に前記貯留皿が設けられ、前記可動蓋部材は、前記遊技球排出口の閉鎖状態時に前記遊技球排出孔内で中央となる位置よりも、前記可動蓋部材が前記遊技球排出口の閉鎖状態から開放状態へスライドする際のスライド後方寄りとなる位置に、前記凹部が形成されていることを特徴とする。
【０００９】
請求項４の発明は、請求項１から３の何れか一項において、前記遊技球排出口は、遊技球の購入に使用可能な硬貨よりも大きく形成されていることを特徴とする。
【００１０】
請求項５の発明は、請求項１から４の何れか一項において、前記貯留皿の側部および底部の外側が装飾部材で覆われ、前記貯留皿の底部と前記装飾部材間に前記可動蓋部材が配置され、前記貯留皿の底部には前記遊技球排出口が形成され、前記装飾部材には、前記可動蓋部材による前記遊技球排出口の開放時に前記遊技球排出口から落下する遊技球を弾球遊技機外へ排出するための機外排出口が、前記遊技球排出口の直下方向に設けられ、前記機外排出口の内周壁には前記機外排出口を流下する遊技球を弾球遊技機の前方側へ誘導するための誘導壁部が弾球遊技機の前方へ向けて形成されていることを特徴とする。
【発明の効果】
【００１１】
請求項１の発明によれば、可動蓋部材をスライドさせるまで遊技球排出口の部分で遊技球同士のバランスが取れていても、可動蓋部材をスライドさせた際に、可動蓋部材上に位置する遊技球が可動蓋部材上面の凹部によって可動蓋部材のスライド方向へ動くため、あるいは遊技球が可動蓋部材のスライド方向へ動かない場合であっても遊技球排出口に存在する複数の遊技球の下部と順に接触しながら可動蓋部材上面の凹部が移動し、それによって複数の遊技球が上下に動くため、遊技球同士のバランスが崩れて遊技球が遊技球排出口から排出可能となり、遊技球排出口から遊技球が排出されない不具合の発生を防止することが可能となる。
【００１２】
請求項２の発明によれば、可動蓋部材上面の凹部に遊技球の一部分が嵌り、残りの部分が凹部から突出することにより、可動蓋部材をスライドさせた際には、凹部から突出している遊技球の部分が他の遊技球と干渉して他の遊技球も一緒に動かすことになるため、遊技球同士のバランスを効果的に崩すことができ、遊技球排出口から遊技球が排出されない不具合の発生を防止することが可能となる。
【００１３】
請求項３の発明によれば、可動蓋部材上面の凹部は、遊技球排出口の閉鎖状態から開放状態へ可動蓋部材がスライドする際のスライド後方寄りの位置に形成されているため、遊技球排出口の閉鎖状態から開放状態へ可動蓋部材がスライドする際に、凹部と接触して動かされる遊技球の移動量および遊技球の個数が大になり、遊技球排出口における遊技球のバランスを効果的に崩すことができ、遊技球排出口から遊技球が排出されない不具合の発生を一層確実に防止することが可能となる。
【００１４】
請求項４の発明によれば、貯留皿に遊技球を貯留することなく遊技を行っている場合には、遊技球を購入するための硬貨を貯留皿に入れておくことができ、しかも、可動蓋部材の操作によって遊技球排出口を開放することにより、容易に硬貨を貯留皿から取り出すことが可能であり、便利である。
【００１５】
請求項５の発明によれば、遊技球が貯留皿の遊技球排出口から落下して装飾部材の機外排出口を通って弾球遊技機外へ排出される際に、機外排出口の内周壁の誘導壁部によって遊技球が弾球遊技機の前方側へ誘導されるため、遊技店において弾球遊技機の前方（遊技者側）下部に存在する台部に遊技球貯留箱を配置しておけば、貯留皿の遊技球を遊技球貯留箱へ容易に収容することが可能となる。
【図面の簡単な説明】
【００１６】
【図１】本発明の一実施例に係る弾球遊技機全体を示す正面図である。
【図２】同遊技機のガラス枠開放状態について遊技盤及び機構板を省略して示す斜視図である。
【図３】同遊技機のガラス枠および下側球受け部開放状態について遊技盤及び機構板を省略して示す斜視図である。
【図４】同遊技機の分解斜視図である。
【図５】同遊技機の下側球受け部について遊技球排出口閉鎖状態を示す斜視図である。
【図６】同下側球受け部について遊技球排出口開放状態を示す斜視図である。
【図７】同下側球受け部を下方から見た斜視図である。
【図８】同下側球受け部の分解斜視図である。
【図９】同下側球受け部について下側球球抜き操作部を組み付けた状態の分解斜視図である。
【図１０】同下側球抜き操作部の分解斜視図である。
【図１１】遊技球排出口閉鎖状態を示す図である。
【図１２】遊技球排出口開放状態を示す図である。
【図１３】遊技球貯留時における遊技球排出口閉鎖状態を示す図である。
【図１４】可動蓋部材のスライドによる遊技球のバランスの崩れを示す図である。
【図１５】可動蓋部材上に硬貨が配置された状態を示す図である。
【図１６】可動蓋部材上の硬貨を排出する際を示す図である。
【図１７】凹部の他の例を示す図である。
【図１８】突部の例を示す図である。
【発明を実施するための形態】
【００１７】
以下、添付の図面に基づき本発明の実施形態を説明する。図１は本発明の一実施例に係る弾球遊技機全体を示す正面図、図２は同遊技機のガラス枠開放状態について遊技盤及び機構板を省略して示す斜視図、図３は同遊技機のガラス枠および下側球受け部開放状態について遊技盤及び機構板を省略して示す斜視図、図４は同遊技機の分解斜視図、図５は同遊技機における下側球受け部について遊技球排出口閉鎖状態を示す斜視図、図６は同遊技機における下側球受け部について遊技球排出口開放状態を示す斜視図、図７は同遊技機における下側球受け部を下方から見た斜視図、図８は同遊技機における下側球受け部の分解斜視図、図９は同遊技機における下側球受け部について下側球球抜き操作部を組み付けた状態の分解斜視図、図１０は同下側球抜き操作部の分解斜視図、図１１は遊技球排出口閉鎖状態を示す図、図１２は遊技球排出口開放状態を示す図、図１３は遊技球貯留時における遊技球排出口閉鎖状態を示す図、図１４は可動蓋部材のスライドによる遊技球のバランスの崩れを示す図、図１５は可動蓋部材上に硬貨が配置された状態を示す図、図１６は可動蓋部材上の硬貨を排出する際を示す図、図１７は凹部の他の例を示す図、図１８は突部の例を示す図である。
【００１８】
図１から図４に示す弾球遊技機１は、遊技媒体として遊技球Ｐを用いるパチンコ遊技機であって、木製の外枠Ｆ１と、前記外枠Ｆ１の一側に開閉自在に軸着された合成樹脂製の前面枠体Ｆ２と、前記前面枠体Ｆ２の裏側（背面側）に上部開口部Ｆ２１を塞ぐようにして取り付けられた遊技盤２と、前記前面枠体Ｆ２における前記遊技盤２の裏側に取り付けられた機構板Ｆ３と、前記前面枠体Ｆ２の前側（遊技者側）に上部開口部Ｆ２１を覆うようにして取り付けられたガラス枠Ｇとよりなる。
【００１９】
前記機構板Ｆ２には、遊技の制御等のための主制御基板や表示制御基板、ランプ制御基板、音声制基板、発射制御基板、電源基板等の各種制御基板や、遊技球払出装置等の装置類が裏側等に取り付けられている。符号９０は遊技球払出装置であり、払出モータが回転することにより、回転球受け体（例えばスクリュー形式のもの）を回転し、回転球受け体の球受部に受け入れた遊技球を回転球受体の回転により球送りして１球ずつ排出する公知のものである。前記制御基板は、単独でまたは複数まとめて基板収納ケースに収納されている。符号２００Ａは主制御基板や表示制御基板等を覆う背面保護カバーである。また、符号９１は遊技店の遊技球供給装置からの遊技球を溜める球貯留タンク、９２は遊技球払出装置や発射装置等へ遊技球を誘導するための球誘導樋である。
【００２０】
前記ガラス枠Ｇは、前面枠体Ｆ２の上部開口部Ｆ２１から露出する遊技盤２の遊技領域６を透視可能なガラスを備えて前面枠体Ｆ２の前側に開閉可能に取り付けられている。符号Ｇ１はガラス窓部であり、前記ガラス窓部Ｇ１を覆って前記ガラスが設けられている。
【００２１】
前記弾球遊技機１の前面側には、効果音等を発するスピーカ３４、演出用の装飾ランプ３５、払い出された遊技球を受けるための上側球受け部３６、該上側球受け部３６の満杯時に遊技球を受けるための下側球受け部３７、遊技者の発射操作に応じて遊技球を前記遊技領域６へ向けて弾発発射するための発射装置６４が設けられている。本実施例では、前記スピーカ３４は前面枠体Ｆ２の前面側上部に取り付けられ、一方、前記ランプ装置３５はガラス枠Ｇの上部に、また、前記上側球受け部３６はガラス枠Ｇにおけるガラス窓部Ｇ１の下方に設けられている。前記下側球受け部３７は、前記ガラス枠Ｇの下方における前面枠体Ｆ２の前側に一側がヒンジで取り付けられて開閉可能とされている。なお、この例の弾球遊技機１には、球貸ユニット５６が接続されている。以下、弾球遊技機１の主要な部分について説明する。
【００２２】
前記遊技盤２は、前面の縁に外レール３及び内レール４が略円形に配置され、前記外レール３及び内レール４によって区画された前記遊技領域６が前記遊技盤２上に設けられている。前記遊技領域６には、中心線上の上部から下部に向かって順に表示装置１０、始動入賞口４２、大入賞口４５、アウト口４９が配置されている。前記始動入賞口４２及び前記大入賞口４５の左右には左袖入賞口５１、右袖入賞口５２、左落とし入賞口５３、右落とし入賞口５４が配置されている。前記始動入賞口４２、大入賞口４５、左袖入賞口５１、右袖入賞口５２、左落とし入賞口５３、右落とし入賞口５４は本発明における入賞口に相当する。また、前記表示装置１０の左右には普通図柄変動開始用ゲート５５、５６、その上方にはランプ風車７４，７５、下方には風車７６，７７が設けられている。なお、前記遊技領域６には、前記遊技領域６に打ち込まれた遊技球Ｐを誘導する複数の釘（図示せず）が所要位置に立設されている。
【００２３】
前記表示装置１０は、文字又は図柄等の画像を変動表示可能なものであって、液晶，ドットマトリックス若しくはＬＥＤ表示装置等の表示装置からなり、この実施例では、液晶表示器（ＴＦＴ−ＬＣＤモジュール）で構成され、左下に普通図柄表示部５０が組み込まれ、その他の大部分が特別図柄表示部１１となっている。
【００２４】
前記特別図柄表示部１１には、横に並ぶ３つの判定図柄表示領域として左側表示領域、中央表示領域、右側表示領域を備え、左側表示領域では左特別図柄（左判定図柄）が、中央表示領域では中特別図柄（中判定図柄）が、右側表示領域では右特別図柄（右判定図柄）が、それぞれ変動表示し、所定時間変動表示した後、判定結果に基づき左確定特別図柄、中確定特別図柄、右確定特別図柄が確定判定図柄として停止表示される。また、前記特別図柄表示部１１には、前記特別図柄（判定図柄）に加えて背景画像（キャラクタ，背景，文字等を含む。）が表示されることもあり、該背景画像が特別図柄の変動開始等の所定条件に起因して変動表示可能となっていてもよい。なお、この実施例における前記左側表示領域、中央表示領域、右側表示領域にそれぞれ変動および停止表示される特別図柄（判定図柄）は、『１，２，３，４，５，６，７，８』の８通りの図柄とされている。本実施例では、遊技者に有利な特典を付与する大当たりか否かの当否判定結果が大当たり（当たり）の場合には、前記特別図柄表示部１１に大当たり確定特別図柄組合せ、この例では『１，１，１』（いわゆる‘１’のぞろ目）や『２，２，２』（いわゆる‘２’のぞろ目）等、同一数字の組合せ）で特別図柄（判定図柄）が停止表示され、遊技者に有利な特典を付与する大当たり遊技（特別遊技）に移行する。なお、遊技者に有利な特典は、本実施例では、遊技者による遊技球の獲得し易さ増大に設定されている。
【００２５】
前記普通図柄表示部５０は、記号或いは絵（キャラクタ）等の小当たり判定用普通図柄を変動表示及び停止表示する。本実施例における普通図柄表示部５０に変動及び停止表示される普通図柄は、『０，１，２，３，４，５，６，７，８，９』の１０通りの図柄とされている。前記普通図柄は、小当たり普通図柄、この例では奇数で停止すると、小当たりとなる。
【００２６】
前記始動入賞口４２は、２つの可動片４２ａ，４２ｂが背面の始動入賞口用ソレノイドによって略垂直で遊技球の入賞（入球）し難い狭小開放状態（通常状態）と略Ｖ字形（逆ハの字形）の入賞し易い拡開開放状態間を変化可能に制御されている。前記始動入賞口４２の可動片４２ａ，４２ｂ間が入賞（入球）領域に相当する。前記始動入賞口４２の拡開開放は、前記普通図柄表示部５０で普通図柄が変動した後特定の普通図柄（本実施例では奇数）で確定停止表示されて小当たり（普通図柄当たり）が成立した時に行われる。
【００２７】
また、前記遊技盤２の背面には、始動入賞口検出スイッチ（始動入賞口センサ）が入賞球用通路に設けられており、前記始動入賞口４２への遊技球の入賞（入球）を検出するように構成されている。
【００２８】
前記普通図柄変動開始用ゲート５５，５６は、前記遊技盤２の背面に設けられた普通図柄変動開始スイッチで普通図柄変動開始用ゲート５５，５６を通過する遊技球を検出することによって前記普通図柄表示部５０で普通図柄の変動を開始させるようになっている。また、前記左袖入賞口５１と右袖入賞口５２の入賞球を検出する左袖入賞口用検出スイッチと右袖入賞口用検出スイッチ、前記左落とし入賞口５３と右落とし入賞口５４の入賞球を検出する左落とし入賞口用検出スイッチと右落とし入賞口用検出スイッチが、それぞれ対応する遊技盤背面に設けられている。
【００２９】
前記大入賞口４５は、前記遊技盤２の背面に設けられた大入賞口開放用ソレノイドによって開閉する開閉板４６を備えている。この大入賞口４５は、通常は開閉板４６が閉じた状態とされ、当該大入賞口４５内の一部には、大入賞口４５が開いた際に開口して入賞可能にする特定領域入賞口４７を有する。さらに、特定領域入賞口４７には、所定条件時に特定領域開放用ソレノイドにより開閉される開閉扉が設けられている。また、前記特定領域入賞口４７には特定入賞球を検出する特定入賞球検出スイッチ（特定領域センサ）が設けられ、入賞球の検出により大入賞口４５を再度開ける継続権利が成立し、本実施例では最高１５ラウンド繰り返し可能にされている。また、前記大入賞口４５内の略中央には、大入賞口４５に入賞し、かつ前記特定領域入賞口４７に入賞しなかった入賞球を検出する入賞球数カウントスイッチ（カウントセンサ）が設けられている。
【００３０】
前記発射装置６４は、操作レバー６５の操作により駆動する発射モータを裏側に有し、該発射モータの駆動により遊技球を弾発発射するようになっている。前記発射装置６４により発射された発射球は、前記遊技盤面に立設された内側誘導レール４と外側誘導レール３間で構成される発射球誘導路を介して遊技領域６に誘導される。前記遊技領域６に誘導された遊技球は、転動しつつ下方へ落下し、前記各装置及び各入賞口に入賞するか、或いは何処にも入賞しなければ前記アウト口４９から遊技盤２の裏側へ排出される。
【００３１】
ここで前記弾球遊技機１における遊技について簡略に説明する。前記弾球遊技機１においては、前記遊技領域６へ向けて前記発射装置６４により発射された遊技球が、前記種々の入賞口に入賞すると入賞口に応じた所定数の遊技球が賞球として払い出される。また、前記普通図柄変動開始用ゲート５５，５６を遊技球が通過すると、普通図柄当たり判定・普通図柄決定用乱数値が取得され、その取得乱数値に基づいて普通図柄の当たり（小当たり）判定および停止普通図柄の決定が行われ、前記普通図柄表示部５０で普通図柄が変動を開始し、所定時間変動後に停止する。その際、前記普通図柄の当たり判定結果が小当たりの場合には、小当たり普通図柄、この例では奇数で停止し、前記始動入賞口４２の２つの可動片４２ａ，４２ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口４２に遊技球が入賞すると、所定数の遊技球が賞球として払い出される。
【００３２】
また、前記始動入賞口４２に遊技球が入賞すると、大当たり判定用乱数値及び大当たり図柄決定用乱数値、外れ図柄決定用乱数値等が取得され、前記取得された大当たり判定用乱数値に基づいて大当たりの当否判定が行われ、前記特別図柄表示部１１で特別図柄（判定図柄）が変動を開始し、所定時間変動後にそれぞれ大当たり図柄決定用乱数値あるいは外れ図柄決定用乱数値に基づく特別図柄で停止表示される。
【００３３】
前記大当たりの当否判定結果が当たりの場合には、前記特別図柄表示部１１に大当たり図柄（大当たり判定図柄）、この例では『１，１，１』（いわゆる‘１’のぞろ目）や『２，２，２』（いわゆる‘２’のぞろ目）等、同一数字の組合せ）で停止表示され、大当たり遊技（特別遊技）に移行する。一方、外れの場合には、外れ図柄決定用乱数値に基づく外れ図柄、すなわち、ぞろ目以外の図柄が表示される。
【００３４】
大当たりとなって大当たり遊技（特別遊技）状態になると、前記大入賞口４５の開閉板４６が開いて遊技領域６の表面を落下してくる遊技球を受け止め易くして、大入賞口４５へ入賞可能にし、該大入賞口４５への入賞があると、所定数の遊技球が賞球として払い出される。前記開閉板４６は、所定時間（例えば２９．５秒）経過後、或いは入賞球数が所定個数（例えば１０個）となった時点で閉じるようにされている。また、前記大入賞口４５の開放中又は大入賞口４５が閉じてから約２秒以内に、大入賞口内の特定領域入賞口４７への入賞球が検出されると、前記大当たりを再度繰り返す継続権利が発生し、所定最高ラウンド数（例えば最高１５ラウンド）、前記開閉板４６の開放を繰り返すようになっている。
【００３５】
前記各種入賞口への入賞（入球）により前記遊技球払出装置９０から払い出される遊技球は、図２および図３に示す上側球出口３１を通って前記上側球受け部３６へ排出され、上側球受け部３６で貯留される。前記上側球受け部３６は、遊技球を所定個数貯留可能とされており、満杯時あるいは遊技者の希望時に上側球抜き操作部６７を遊技者が操作することにより、前記上側球受け部３６の遊技球を前記下側球受け部３７へ排出可能とされている。本実施例の上側球抜き操作部６７は、押しボタン式からなり、押しボタンを押すことにより上側球受け部３６の底部に形成されている上側球排出口を開放するように構成されている。なお、前記上側球抜き操作部６７は、スライド式にして上側球受け部３６の底部に形成されている上側球排出口をスライド板で開閉させるものでもよい。図３に示す符号３２は前記下側球受け部３７への遊技球出口である。
【００３６】
本実施例では、前記下側球受け部３７に本発明の遊技球排出に関する構成が適用されている。前記下側球受け部３７の構成について詳述する。図５〜図７に下側球受け部３７を示す。前記下側球受け部３７は、図８〜図９に示すように、第１装飾部材３７１と、貯留皿３８０と、下側球抜き装置３９０と、第２装飾部材４２０とで構成される。
【００３７】
前記第１装飾部材３７１は、下側球受け部３７を前記前面枠体Ｆ２の下部前面に開閉可能に取り付けるため、及び下側球受け部３７の背面と左側部を装飾するための部材であり、背面壁部３７２と左側部３７３を有する。前記背面壁部３７２は略垂直に形成され、右端の背面側には前面枠体Ｆ２の係止孔（図示せず）に対する係止爪３７４が上下スライド可能に設けられ、一方、前記左側部３７３の左端には前面枠体Ｆ２へ回動可能に取り付けるための軸３７５ａと孔３７５ｂ（図５、図６に示す）が上下に形成されている。前記係止爪３７４は、前記前面枠体Ｆ２の係止孔へ係止するようにバネ（図示せず）で上方へ付勢されており、係止爪の上部３７４ａを下方へ押すことにより係止爪３７４が下方へ移動して前面枠体Ｆ２の係止孔との係合が解除され、前記左側部３７３の軸３７５ａを回動軸として下側球受け部３７が前方へ回動可能となり、下側球受け部３７を開放状態にすることができる。また、前記背面壁部３７２の中央付近には、前記前面枠体Ｆ２の遊技球出口３２と連通する下側球出口３７６が前後に貫通して形成され、前記上側球受け部３６から球抜きした遊技球を貯留皿３８０へ排出して貯留皿３８０で貯留可能とされている。なお、前記遊技球出口３２は、図示しない樋部材によって前記上側球受け部３６の上側球排出口（図示せず）と連通しており、前記上側球抜き操作部６７の操作による前記上側球排出口の開放によって、前記上側球受け部３６内の遊技球が樋部材を通って遊技球出口３２および下側球出口３７６へ誘導されるように構成されている。なお、前記第１装飾部材３７１の左側部３７３には演出操作ボタン３７８が設けられているが、本発明とは直接関係しないため説明を省略する。
【００３８】
前記貯留皿３８０は、上方が開口した皿状からなり、遊技球を所定個数貯留可能な大きさで構成されている。前記貯留皿３８０は、前記背面壁部３７２の下側球出口３７６からの遊技球を受けることができるように、前記背面壁部３７２の前面側において前記下側球排出口より下方位置に取り付けられ、これにより前記背面壁部３７２を介して前面枠体Ｆ２の前面下部に取り付けられる。
【００３９】
前記貯留皿３８０の底部３８１には、前記貯留皿３８０内の遊技球を排出するための遊技球排出口３８２が形成されている。前記遊技球排出口３８２は、少なくとも遊技球Ｐの２球分以上の大きさとされ、これにより、効率よく貯留皿３８０内の遊技球が遊技球排出口３８２を通って排出可能とされている。さらに本実施例の遊技球排出口３８２は、図１５および図１６に示すように、遊技に使用される遊技球の購入に使用可能な硬貨Ｔよりも大とされている。本実施例において遊技球の購入は、弾球遊技機１の隣に配置されている球貸ユニット５６の硬貨投入口に所定金額の硬貨を投入することにより行うことができる。遊技球の購入に使用可能な硬貨Ｔとしては、１００円硬貨、５００円硬貨等を挙げることができる。本実施例では、現時点において一般的に広く流通している硬貨の中で径が最大である５００円硬貨よりも大きな孔形状で前記遊技球排出口３７６が形成され、それにより５００円硬貨や１００円硬貨等の硬貨が前記遊技球排出口３７６を通って落下可能になっている。
【００４０】
また、前記遊技球排出口３８２は、図１２にも示すように円形の一部３８３が外方へ膨らんで細くなった孔形状（すなわち、落下する雫（雫）形状や、果物のいちじく形状に類似する形状、または大小の円弧を略直線で接続した長孔形状等として表現できる形状）で構成されている。前記遊技球排出口３８２の外方へ膨らんだ部分３８３は、後述する可動蓋部材３９５が前記遊技球排出口３８２の閉鎖状態から開放状態へスライドする際のスライド方向Ｑとは異なる方向（図示の例では略直交する方向）に位置している。
【００４１】
前記下側球抜き装置３９０は、下側球抜き操作部３９１と可動蓋部材３９５と作動部４００とよりなる。前記下側球抜き操作部３９１は、図１０に示すように、操作ボタン３９２が上下動可能に保持筒部３９４に収納されて、前記保持筒部３９４内に設けられたコイルスプリング（図示せず）によって上方へ付勢されている。前記操作ボタン３９２は下部に突設された軸部３９３が前記保持筒部３９４の下方へ突出し、また、操作ボタン３９２の上部が前記保持筒部３９４の上方に突出している。前記操作ボタン３９２を押下することにより、前記操作ボタン３９２が下方へ移動し、前記保持筒部３９４の下方からの前記軸部３９３の突出量が増大する。一方、前記操作ボタン３９２の押下を止めると、前記コイルスプリングによって操作ボタン３９２が上方へ移動し、前記保持筒部３９４の下方からの前記軸部３９３の突出量が少なくなる。前記下側球抜き操作部３９１は、後述の第２装飾部材４２０の右上壁得４２５に形成されている取付孔４２６に装着されて所定位置に組み付けられる。
【００４２】
前記可動蓋部材３９５は、前記遊技球排出口３８２を下方から塞ぐことのできる大きさの板状体からなり、図示の例では基部側から先端に向けて大きくされた、略しゃもじ形状に形成されている。前記可動蓋部材３９５は、後述の作動部４００により前記遊技球排出口３８２の下側に設けられてスライド可能とされる。前記可動蓋部材３９５はスライドにより前記遊技球排出口３８２を開閉し、前記遊技球排出口３８２の閉鎖によって前記遊技球排出口３８２で遊技球を受け止め、一方、前記遊技球排出口３８２の開放によって前記遊技球排出口３８２からの遊技球の排出を可能にする。また、前記可動蓋部材３９５は、前記貯留皿３８０内に遊技球が貯留されていない状態において、前記遊技球排出口３８２の閉鎖時、前記遊技球排出口３８２の可動蓋部材３９５の上面に硬貨が載置された場合、硬貨が遊技球排出口３８２から落下するのを防止し、一方、前記遊技球排出口３８２の開放によって前記遊技球排出口３８２からの硬貨の排出を可能にする。前記可動蓋部材３９５は、図１５に示すように、スライド時における前記可動蓋部材３９５の上面と前記遊技球排出口３８２間の隙間ｓ１が硬貨Ｔの厚みより小となるように作動部４０に取り付けられている。
【００４３】
前記可動蓋部材３９５の上面には、図１１に示すように可動蓋部材３９５が前記遊技球排出口３８２の閉鎖状態から、図１２に示すように遊技球排出口３８２の開放状態へスライドする際に、前記可動蓋部材３９５上に位置する少なくとも１つの遊技球Ｐと接触して遊技球Ｐを前記可動蓋部材３９５のスライド方向Ｑへ動かす凹部３９７が形成されている。前記凹部３９７は、遊技球Ｐの一部が嵌入可能な大きさで形成されている。すなわち、前記凹部３９７は、遊技球Ｐを構成する球体全体が前記凹部３９７内に嵌るのではなく、遊技球Ｐを構成する球体の一部のみが前記凹部Ｐに嵌ることができる大きさで形成されている。このように構成することにより、前記可動蓋部材３９５をスライドさせた際に、前記凹部３９７から突出している遊技球の部分が他の遊技球と干渉して他の遊技球も一緒に動かすことができるため、前記遊技球排出口３８２の部分において遊技球同士のバランスを効果的に崩すことができ、前記遊技球同士のバランスにより遊技球排出口３８２が詰まったような状態となって前記遊技球排出口３８２から遊技球が排出されない不具合の発生を防止することが可能となる。
【００４４】
さらに、前記凹部３９７のより好ましい大きさは、前記遊技球Ｐの嵌入が球体の半分未満となる大きさである。前記可動蓋部材３９５の上面の凹部３９７をこのように構成すれば、遊技球Ｐにおける最大径の部分よりも下の小径部分のみが前記凹部３９７に嵌った状態となるため、前記可動蓋部材３９５が前記遊技球排出口３８２の閉鎖状態から開放状態へスライドする際に、前記凹部３９７の遊技球Ｐが前記凹部３９７を乗り越えやすくなり、遊技球Ｐが凹部３９７を乗り越えられずに最後まで凹部３９７に嵌った状態となるのを防ぐことが可能である。もし、前記可動蓋部材３９５が前記遊技球排出口３８２の閉鎖状態から開放状態へスライドする際に、遊技球Ｐが凹部３９７を乗り越えられずに最後まで凹部３９７に嵌った状態となった場合には、凹部３９７に嵌っている遊技球Ｐが遊技球排出口３８２の内周縁と衝突して前記可動蓋部材３９５のそれ以上のスライドが妨げられて遊技球排出口３８２の完全な開放が妨げられたり、前記可動蓋部材３９５上に遊技球が残って遊技球排出口３８２から遊技球を完全に排出できなくなったりするおそれがある。
【００４５】
さらに、前記凹部３９７は、前記硬貨全体の嵌らない大きさ、すなわち、硬貨の平面形状の全体が嵌らない大きさで形成されている。このように構成したことにより、前記可動蓋部材３９５が前記遊技球排出口３８２の閉鎖状態から開放状態へスライドする際に、前記可動蓋部材３９５上の凹部に３９７に嵌った硬貨が可動蓋部材３９５と共に移動し、前記貯留皿３８と可動蓋部材３９５間に引き込まれて取れなくなったり、可動蓋部材３９５が動かなくなったりするのを防ぐことが可能となる。
【００４６】
本実施例の凹部３９７は、図１１および図１５に示すように、平面視形状が、遊技球の購入に使用可能な硬貨Ｔの平面形状の全体が嵌らない三日月形状で形成されている。前記凹部３９７の三日月形状を構成する内側の円弧３９７ａと外側の円弧３９７ｂ間の最大間隔ｄ１は遊技球の直径より小とされ、また前記凹部３９７の深さは硬貨の厚みより小に形成されている。
【００４７】
前記可動蓋部材３９５における凹部３９７の位置は、前記遊技球排出口３８２を可動蓋部材３９５が閉鎖した状態において、前記遊技球排出口内で中央となる位置Ｙａよりも、前記可動蓋部材３９５が遊技球閉鎖状態から開放状態へスライドする際のスライド後方Ｙｂ寄りとなる位置、すなわち前記スライド後方側の遊技球排出口３８２内周縁３８２ａに接近して形成されている。本実施例においては、前記三日月形状の凹部３９７は、前記遊技球排出口３８２を前記可動蓋部材３９５で閉鎖した状態から開放状態へスライドさせる際のスライド後方側となる前記遊技球排出口３８２の内周に沿って位置するように形成されている。このように構成したことにより、前記遊技球排出口３８２の閉鎖状態から開放状態へ可動蓋部材３９５がスライドする際に、前記凹部３９７と接触して動かされる遊技球の移動量が大になり、遊技球排出口３８２における遊技球のバランスを効果的に崩すことができ、遊技球排出口３８２から遊技球が排出されない不具合の発生を一層確実に防止することが可能となる。さらに、前記可動蓋部材３９５の上面に載置された硬貨の一部が凹部３９７に嵌って硬貨が傾くことがあっても、遊技球排出口の閉鎖状態から開放状態へ可動蓋部材３９５がスライドする際に、硬貨は凹部３９７が位置する可動蓋部材３９５のスライド後方側で低く、反対のスライド前方側で高くなって傾くことになり、位置が高くなった硬貨の縁側から遊技球排出口３８２の内周縁へ接近することになるため、傾斜により位置の高くなった硬貨の縁が遊技球排出口３８２の内周縁と衝突することになるため、遊技球排出口３８２と可動蓋部材３９５の上面間の隙間に引き込まれたり、硬貨の一部が可動蓋部材３９５と遊技球排出口３８２の間に挟まったりして、硬貨の取り出しが困難となるのを効果的に防ぐことが可能となる。
【００４８】
また、前記可動蓋部材３９５の上面には、前記遊技球排出口３８２の閉鎖状態時に前記可動蓋部材３９５の上面に配置された硬貨Ｔの一部が前記凹部３９７に落ち込んで硬貨Ｔが傾斜するのを防ぐ硬貨支持部３９６が形成されている。前記硬貨支持部３９６は、図１５に示すように、前記可動蓋部材３９５の上面に載置された硬貨Ｔが前記凹部３９７上に最大量突出して（はみ出して）硬貨Ｔの縁が凹部３９７上方に位置する場合にも、硬貨Ｔの重心位置を支持して硬貨Ｔの重心位置が凹部３９７上方とならないようにするものである。本実施例の硬貨支持部３９６は、前記可動蓋部材３９５の上面における非凹部の一部で構成されており、具体的には、前記凹部３９７の三日月形状を構成する内側の円弧３９７ａと隣接する可動蓋部材３９５の上面における非凹部の部分が、前記硬貨支持部３９６を構成している。
【００４９】
前記作動部４００は、図１０に示すように、取付板部４０１、上下揺動機構４０２、水平揺動機構４０７を有する。前記取付板部４０１は、前記第１装飾部材３７１における背面壁部３７２の前面側に前記作動部４００を取り付けるためのものであり、ネジによって前記背面壁部３７２における前記下側球出口３７６の右方に固定される。
【００５０】
前記上下揺動機構４０２は、前記取付板部４０１の前面から突出した上下揺動体支持部４０３に上下揺動可能に上下揺動体４０４が軸着された構成からなる。前記上下揺動体４０４は、水平部４０５とその後方から上方へ突出した垂直部４０６とよりなり、前記水平部４０４０５の後方側で前記上下揺動体支持部４０３に軸ｊａで上下揺動可能に軸支されている。前記水平部４０５は、前記下側球抜き操作部３９１における操作ボタン３９２の非押下状態時に、操作ボタン３９２の下部の軸部３９３下端と略当接した状態とされ、前記操作ボタン３９２が押下されたときに軸部３９３で押し下げられ、それにより、前記垂直部４０５が前記取付板部４０１の前方側へ揺動する。
【００５１】
前記水平揺動機構４０７は、前記上下揺動機構４０２の左方に設けられ、前記取付板部４０１の前面から突出した水平揺動体支持部４０８に水平揺動可能に水平揺動体４０９が軸着された構成からなる。前記水平揺動体４０９は、前記水平揺動体支持部４０８に軸ｊｂで軸支された上下方向の筒部４１０と、前記筒部４１０の側部から前記上下揺動体４０３における垂直部４０５の前方へ突出形成された突起部４１１とよりなる。前記水平揺動体４０９は、前記水平揺動体支持部４０８と前記突起部４１１間に設けられたトーションバネ（図示せず）により、前記突起部４１１が前記取付板部４０１側（第１装飾部材３７１の背面壁部３７２側）へ付勢されている。それにより、前記上下揺動体４０３の垂直部４０５が前記突起部４１１で前記取付板部４０１側へ押され、前記上下揺動体４０３の水平部４０４が上方へ揺動した状態になっている。また、前記水平揺動体４０９は、前記突起部４１１が前記上下揺動体４０３の垂直部４０５で前方へ押されると前記トーションバネに抗して前方へ揺動する。
【００５２】
前記水平揺動体４０９の筒部４１０には前記可動蓋部材３９５が前記上下揺動機構４０２とは反対側に取り付けられて前記水平揺動体４０９と共に揺動可能とされ、前記水平揺動体４０９の突起部４１１が前記上下揺動機構４０２の垂直部４０５で前方へ押されていない状態の時に、前記可動蓋部材３９５が前記貯留皿３８０の前記遊技球払出口３８２を下側から塞ぐようにされている。
【００５３】
前記作動部４００の作動について説明する。前記操作ボタン３９２が押下されると、前記操作ボタン３９２の下部の軸部３９３により前記上下揺動体４０３の水平部４０４が下方ａ１へ押されて上下揺動体４０３の垂直部４０５が前方方向ａ２へ揺動する。それにより、前記水平揺動体４０９は、前記突起部４１１が前記上下揺動体４０３の垂直部４０５で前方へ押されて前方方向ａ３へ揺動する。また、前記水平揺動体４０９の筒部４１０に取り付けられている可動蓋部材３９５が前記水平揺動体４０９の揺動によりＱ方向、すなわち前記第１装飾部材３７１の背面壁部３７２へ接近する方向へ前記貯留皿３８０の下方で揺動（スライド）し、前記貯留皿３８０の遊技球排出口３８２を開放する。また、前記操作ボタン３９２の押下を止めると、前記水平揺動体４０９がトーションバネの付勢により元の位置に揺動し、それにより前記可動蓋部材３９５が前記操作ボタン３９２の押下時の揺動方向（スライド方向）Ｑとは反対方向Ｑ１へ揺動（スライド）し、前記遊技球排出口３８２を閉鎖する。
【００５４】
前記第２装飾部材４２０は、本発明における装飾部材に相当し、前記貯留皿３８０の前側の側部および底部の外側を覆う下側壁部４２１と、前記下側球受け部３７の上部右側部を構成する右上部壁部４２５とからなり、略船底形状とされている。前記第２装飾部材４２０と前記貯留皿３８０の底部間には前記可動蓋部材３９５がスライド可能に位置する。前記右上壁部４２５には前記下側球抜き操作部３９１のための取付孔４２６が形成されている。前記第２装飾部材４２０の下側壁部４２１の底部には、図７および図１１〜図１６等に示すように、前記貯留皿３８０の遊技球排出口３８２の下方に遊技球誘導部材４３０が組み付けられている。前記遊技球誘導部材４３０には、前記貯留皿３８０における遊技球排出口３８２の開放時に遊技球排出口３８２から落下する遊技球を弾球遊技機外、例えば遊技球貯留箱（ドル箱）へ排出するための機外排出口４３１が前記遊技球排出口３８２の直下方向に形成されている。本実施例の遊技球誘導部材４３０は、前記第１装飾部材３７１の背面壁部３７２における前面側に取り付けられており、前記第２装飾部材４２０が前記第１装飾部材３７１の背面壁部３７２における前面側に取り付けられた際に、第２装飾部材４２０の下側壁部４２１の底部に形成されている開口部４２３（図８等にも示す）に前記機外排出口４３１が位置するように構成されている。また、前記機外排出口４３１の内周壁４３２には、前記機外排出口４３１を流下する遊技球を弾球遊技機１の前方側へ誘導するための誘導壁部４３２ａが、弾球遊技機１の前方へ向けて傾斜して形成されている。
【００５５】
前記貯留皿３８０に貯留された遊技球の排出および貯留皿３８０に配置された硬貨の取り出しについて説明する。前記貯留皿３８０に貯留された遊技球を排出する際、前記下側球抜き操作部３９１の操作ボタン３９２が遊技者により押下されると、前記可動蓋部材３９５は、図１１に示す遊技球排出口３８３の閉鎖状態からＱ方向へスライド（揺動）して図１２に示す遊技球排出口開放状態となる。その際、前記可動蓋部材３９５をスライドさせるまで遊技球排出口３８２の部分で遊技球Ｐ同士のバランスが取れていても、図１３および図１４に示すように、前記可動蓋部材３９５上の凹部３９７に一部嵌っている遊技球Ｐ１が、前記可動蓋部材３９５のスライドによって可動蓋部材３９５のスライド方向Ｑへ、例えばＰ１ａからＰ１ｂのように動くため、さらには前記遊技球Ｐ１の移動により遊技球Ｐ１と隣接する遊技球Ｐ２が前記遊技球排出口３８２の外方へ膨らんだ部分３８３へ向けて押されるため、あるいは遊技球Ｐ１が可動蓋部材３９５のスライド方向Ｑへ動かない場合であっても、遊技球排出口３８２に存在する複数の遊技球Ｐの下部と順に接触しながら可動蓋部材上面の凹部３９７が移動し、それによって複数の遊技球Ｐが上下に動くため、遊技球同士のバランスが崩れて遊技球が遊技球排出口３８２から落下し、貯留皿３８０から排出される。また、前記遊技球排出口３８２から落下した遊技球は、図１２に示すように遊技球排出口下方の前記機外排出口４３１から弾球遊技機１外へ排出される際に、前記誘導壁部４３２ａによって弾球遊技機１の前方側へ誘導され、弾球遊技機１の前方下部に配置した遊技球貯留箱（図示せず）に自動的に収容される。
【００５６】
一方、遊技球が貯留されていない前記貯留皿３８０内における遊技球排出口３８２の可動蓋部材３９５上に硬貨Ｔを配置した場合、前記下側球抜き操作部３９１の操作ボタン３９２が遊技者により押下されると、前記可動蓋部材３９５は、図１５に示す遊技球排出口３８３の閉鎖状態からＱ方向へスライド（揺動）し、図１６に示す遊技球排出口開放状態となる。それによって、それまで可動蓋部材３９５上に載置されていた硬貨Ｔが、前記遊技球排出口３８２から落下し、前記貯留皿３８０から取り出される。前記可動蓋部材３９５のスライド時、前記のように可動蓋部材３９５上における凹部３９７の大きさや位置、前記硬貨支持部３９６の存在等により硬貨Ｔの傾きが防止され、さらには前記可動蓋部材３９５の上面と前記遊技球排出口３８２間の隙間ｓ１が硬貨Ｔの厚みより小にされていることにより、硬貨Ｔが前記可動蓋部材３９５の上面と前記遊技球排出口３８２の隙間ｓ１に引き込まれたり、硬貨Ｔの一部が前記可動蓋部材３９５と遊技球排出口３８２の周縁間に挟まったりして、硬貨Ｔの取り出しが困難となるのが防止される。
【００５７】
なお、前記実施例においては可動蓋部材３９５の上面に設ける凹部として三日月形状の凹部３９７を示したが、前記凹部は他の形状であってもよい。例えば、図１７に示すように球面の一部を構成する窪み状の凹部３９７Ａや他の形状の凹部を可動蓋部材３９５の上面に設けてもよい。また、前記可動蓋部材３９５の上面には前記凹部に代えて突部を設け、前記突部を可動蓋部材と共に移動させることにより、前記遊技球排出口３８０における遊技球のバランスを崩すようにしてもよい。例えば、図１８に示すように、リブ状の突起３９７Ｂを可動蓋部材３９５の上面に設けてもよい。その場合、可動蓋部材３９５のスライド時に突部３９７Ｂの上端が前記遊技球排出口３８２の周縁と衝突しないように、前記突部３９７Ｂの高さおよび隙間ｓ１が設定される。
【００５８】
本発明は、前記の実施例に限定されるものではなく、発明の趣旨を逸脱しない範囲で変更可能である。例えば、前記実施例では、可動蓋部材を揺動によってスライドさせているが、それに限られるものではなく、例えば直線往復運動により可動蓋部材をスライドさせるものであってもよい。
【符号の説明】
【００５９】
１  遊技機
２  遊技盤
１０  表示装置
３６  上側球受け部
３７  下側球受け部
４５  大入賞口
６４  発射装置
３８０  貯留皿
３８２  遊技球排出口
３９５  可動蓋部材
３９７  凹部
３９７Ｂ  突部
４２０  第２装飾部材（装飾部材）
４３１  機外排出口
４３２ａ  誘導壁部
Ｐ  遊技球
Ｔ  硬貨